(57)【要約】  一実施形態に係る情報端末は、操作面に対する押下操作を受付可能な押下検出機構を有し、撮像装置から出力される画像を表示するタッチパネルディスプレイと、操作面に対するタッチ操作と押下操作とを検出する検出手段と、検出手段によりタッチ操作が検出されると、タッチパネルディスプレイに表示されている被写体にフォーカスを合わせるように撮像装置のフォーカス機構を制御するフォーカス制御手段と、検出手段により所定の押下操作が検出されると、撮像を実行するように撮像装置のシャッタ機構を制御するシャッタ制御手段と、を備える。
2013137457.tif 000002
【特許請求の範囲】
【請求項１】
画像又は映像を撮像する撮像装置を備えた情報端末であって、
操作面に対する押下操作を受付可能な押下検出機構を有し、前記撮像装置から出力される画像を表示するタッチパネルディスプレイと、
前記タッチパネルディスプレイの操作面に接触物を接触させるタッチ操作と、前記タッチパネルディスプレイの操作面に対する押下操作とを検出する検出手段と、
前記検出手段により前記タッチ操作が検出されると、前記タッチパネルディスプレイに表示されている被写体にフォーカスを合わせるように前記撮像装置のフォーカス機構を制御するフォーカス制御手段と、
前記検出手段により所定の前記押下操作が検出されると、撮像を実行するように前記撮像装置のシャッタ機構を制御するシャッタ制御手段と、
を備えている、情報端末。
【請求項２】
前記フォーカス制御手段は、前記検出手段により前記操作面から前記接触物が離れたことが検出されると、前記タッチパネルディスプレイに表示されている被写体にフォーカスが固定されるように前記フォーカス機構を制御する、
請求項１に記載の情報端末。
【請求項３】
前記フォーカス制御手段は、前記検出手段により所定の前記押下操作が検出されると、前記タッチパネルディスプレイに表示されている被写体にフォーカスが固定されるように前記フォーカス機構を制御する、
請求項１に記載の情報端末。
【請求項４】
前記検出手段は、前記タッチ操作によって接触された前記操作面における位置である接触位置を検出し、
前記フォーカス制御手段は、前記タッチパネルディスプレイに表示される被写体のうち、前記検出手段により検出された前記接触位置に表示される被写体にフォーカスを合わせるように前記フォーカス機構を制御する、
請求項１〜３の何れか一項に記載の情報端末。
【請求項５】
前記フォーカス制御手段は、前記検出手段により検出される前記接触位置が変化する場合には、当該変化する接触位置に連動して前記フォーカス機構を制御する、
請求項４に記載の情報端末。
【請求項６】
操作面に対する押下操作を受付可能な押下検出機構を有しており、ユーザから操作を受け付けると共に、撮像装置から出力される画像を表示するタッチパネルディスプレイを備えた情報端末における撮像制御方法であって、
前記タッチパネルディスプレイの操作面に対するタッチ操作と、前記タッチパネルディスプレイの操作面に対する押下操作とを検出する検出ステップと、
前記検出ステップにおいて前記タッチ操作が検出されると、前記タッチパネルディスプレイに表示されている被写体にフォーカスを合わせるように前記撮像装置のフォーカス機構を制御するフォーカス制御ステップと、
前記検出ステップにおいて所定の前記押下操作が検出されると、撮像を実行するように前記撮像装置のシャッタ機構を制御するシャッタ制御ステップと、
を含んでいる、撮像制御方法。
【発明の詳細な説明】
【技術分野】
【０００１】
本発明は、情報端末及び撮像制御方法に関する。
【背景技術】
【０００２】
近年、タッチパネルを備えた情報端末が一般的となり、情報端末に搭載されているカメラの操作にもタッチパネルを介して行われている。例えば、ユーザは、タッチパネルに映し出された撮影対象物を見て、フォーカス（focus）をあてたい場所にタッチするだけで、その位置にフォーカスをあてることができる（例えば、特許文献１参照）。そして、ユーザは、タッチパネルに表示されたシャッタ（shutter）ボタンを押下することにより写真を撮影することができる。【０００３】
また、ユーザが、タッチパネルの操作面をタッチすることによりフォーカスをあてることができ、この操作面から指を離すと同時にシャッタ機構が動作し、画像の撮像を行うことができる情報端末もある。
【先行技術文献】
【特許文献】
【０００４】
【特許文献１】特開２００４−４８５２６号公報
【発明の概要】
【発明が解決しようとする課題】
【０００５】
しかしながら、従来の情報端末では、タッチパネルの操作面から指が離れると同時にシャッタ機構が作動するため、フォーカスを合わせた後に画像の撮像を中止したい場合、及びフォーカスを合わせた後に別の処理（例えば、露出の調整）を行わせたい場合などには、解除に所定の手順を踏む必要が生じ、操作が煩雑となる。【０００６】
そこで、本発明の目的は、撮像時における操作をより扱いやすいものすることができる、情報端末及び撮像制御方法を提供することにある。
【課題を解決するための手段】
【０００７】
本発明の一側面に係る情報端末は、操作面に対する押下操作を受付可能な押下検出機構を有し、撮像装置から出力される画像を表示するタッチパネルディスプレイと、タッチパネルディスプレイの操作面に接触物を接触させるタッチ操作と、タッチパネルディスプレイの操作面に対する押下操作とを検出する検出手段と、検出手段によりタッチ操作が検出されると、タッチパネルディスプレイに表示されている被写体にフォーカスを合わせるように撮像装置のフォーカス機構を制御するフォーカス制御手段と、検出手段により所定の押下操作が検出されると、撮像を実行するように撮像装置のシャッタ機構を制御するシャッタ制御手段と、を備えている。【０００８】
また、本発明の一側面に係る撮像制御方法は、操作面に対する押下操作を受付可能な押下検出機構を有しており、ユーザから操作を受け付けると共に、撮像装置から出力される画像を表示するタッチパネルディスプレイを備えた情報端末における撮像制御方法であって、タッチパネルディスプレイの操作面に対するタッチ操作と、タッチパネルディスプレイの操作面に対する押下操作とを検出する検出ステップと、検出ステップにおいてタッチ操作が検出されると、タッチパネルディスプレイに表示されている被写体にフォーカスを合わせるように撮像装置のフォーカス機構を制御するフォーカス制御ステップと、検出ステップにおいて所定の押下操作が検出されると、撮像を実行するように撮像装置のシャッタ機構を制御するシャッタ制御ステップと、を含んでいる。【０００９】
このような情報端末及び撮像制御方法では、まず、タッチパネルが押下されたことを検出可能な構成となっているので、ユーザは、タッチパネルに対してタッチ操作だけでなく、押下操作を実行することができる。この情報端末及び撮像制御方法では、タッチパネルに対するタッチ操作ではなく、この押下操作を検出することによって、撮像装置のシャッタ機構を制御している。すなわち、この情報端末及び撮像制御方法によれば、押下操作を検出することによってシャッタ機構を制御するので、フォーカスを合わせるために触れている指などを離してもシャッタ機構は作動せず、画像又は映像が撮像されることはない。このため、被写体にフォーカスを合わせる処理を行った後でも、画像又は映像の撮像を中止することが容易に可能となる。この結果、撮像時における操作をより扱いやすいものすることができる。【００１０】
また、一実施形態において、フォーカス制御手段は、検出手段により操作面から接触物が離れたことが検出されると、タッチパネルディスプレイに表示されている被写体にフォーカスが固定されるようにフォーカス機構を制御してもよい。【００１１】
この構成によれば、フォーカスを所望の被写体に固定しながら、タッチパネルディスプレイから手を離すことができるので、タッチパネルディスプレイにおいて他の設定を行うことができる。【００１２】
また、一実施形態において、フォーカス制御手段は、検出手段により所定の押下操作が検出されると、タッチパネルディスプレイに表示されている被写体にフォーカスが固定されるようにフォーカス機構を制御してもよい。【００１３】
この構成によれば、フォーカスを所望の被写体に固定しながら、タッチパネルディスプレイから手を離すことができるので、タッチパネルディスプレイにおいて他の設定を行うことができる。【００１４】
また、一実施形態において、検出手段は、タッチ操作によって接触された操作面における位置である接触位置を検出し、フォーカス制御手段は、タッチパネルディスプレイに表示される被写体のうち、検出手段により検出された接触位置に表示される被写体にフォーカスを合わせるようにフォーカス機構を制御してもよい。【００１５】
この構成によれば、タッチパネルディスプレイに多くの被写体が表示されるような場合であっても、ユーザが選択した任意の被写体にフォーカスを合わせることができる。【００１６】
また、一実施形態において、フォーカス制御手段は、検出手段により検出される接触位置が変化する場合には、当該変化する接触位置に連動してフォーカス機構を制御してもよい。【００１７】
この構成によれば、タッチパネルに表示される画像のうち、ユーザがフォーカスを合わせたい箇所に該当する画像部分をタッチし続けることで、当該対象物に対してフォーカスを合わせ続けることができる。このため、当該対象物に対してフォーカスが合った状態で、例えば、クリック（押下操作）をした瞬間に撮像装置のシャッタ機構を作動させることができるので、シャッターチャンスを逃しにくくなる。
【発明の効果】
【００１８】
本発明の一側面によれば、撮像時における操作をより扱いやすくすることができる。
【図面の簡単な説明】
【００１９】
【図１】第１実施形態に係る携帯端末の外観構成を示す外観図である。
【図２】図１に示す携帯端末のクリック機構を示す断面図である。
【図３】図１に示す携帯端末の機能構成を示すブロック図である。
【図４】タッチパネルディスプレイに表示される撮影表示画面の一例を示す図である。
【図５】図１に示す携帯端末のハードウェア構成を示す図である。
【図６】図１に示す携帯端末におけるカメラの制御方法の流れを示したフローチャートである。
【図７】第２実施形態に係る携帯端末の機能構成を示すブロック図である。
【図８】図７に示す携帯端末におけるカメラの制御方法の流れを示したフローチャートである。
【発明を実施するための形態】
【００２０】
添付図面を参照しながら一実施形態について説明する。可能な場合には、同一の部分に同一の符号を付して、重複する説明を省略する。図面の寸法比率は、説明のものと必ずしも一致していない。また、説明中、「上」、「下」等の方向を示す語は、図面に示された状態に基づいた便宜的な語である。
【００２１】
（第１実施形態）
図１は、第１実施形態の携帯端末の外観構成を示す外観図である。図１に示されるように、携帯端末（情報端末）１は、タッチパネルディスプレイ４を備える通信端末であって、このタッチパネルディスプレイ４をタッチ操作することにより、携帯端末１に備わるカメラ（撮像装置）の操作、及びアプリケーション内におけるオブジェクト（アイコン：icon）に対応する機能などを実行することができる。携帯端末１は、タッチパネルディスプレイ４の裏側（背後）にクリック機構（押下検出機構）１０を備えている。ユーザは、タッチパネルディスプレイ４を押下することによりクリック操作を行うことができる。
【００２２】
図２（ａ）及び（ｂ）は、携帯端末に備わるクリック機構を示す断面図である。タッチパネルディスプレイ４の操作面４ａの裏側には、ユーザからの押下（押下操作）によりクリック感を与えるとともに、その押下を検出（受付）するためのクリック機構１０が配置されている。クリック機構１０は、基盤１３上にタッチパネルディスプレイ４を支持する支持部材１１と、基盤１３上に配置された接触センサ１２とを有している。クリック機構１０では、ユーザにより押下されたタッチパネルディスプレイ４が撓んで接触センサ１２に接触することにより（図２（ｂ）参照）、タッチパネルディスプレイ４が押下されたことを検出する。これにより、ユーザにクリック感を与えるとともに、その押下を検出することができる。なお、クリック機構は、上述したものに限定されるものではなく、タッチパネルディスプレイ４の背面、又はタッチパネルディスプレイ４を支持する基盤（図示せず）に設けられたタクトスイッチ（tact switch）（図示せず）などを設け、上下方向（操作面に直交する方向）に移動可能とし、タッチパネルディスプレイ４を押し下げた時にタクトスイッチを作動させる構成とすることにより実現することもできる。
【００２３】
図３は、第１実施形態の携帯端末の機能構成を示すブロック図である。図３に示される通り、携帯端末１は、カメラ６、タッチパネルディスプレイ４、カメラ機能要求部２０、タッチ操作検出部３１とクリック操作検出部３２とを有する検出部（検出手段）３０、フォーカス制御部（フォーカス制御手段）４０、シャッタ制御部（シャッタ制御手段）５０、及び機能制御部６０を備えている。以下、各構成について説明する。
【００２４】
カメラ６は、筐体２のタッチパネルディスプレイ４の配置されている面である前面２ａに配置される前面側カメラ６ａと、前面２ａとは反対側の面である背面２ｂに配置される背面側カメラ６ａとを含む。カメラ６は、レンズ、絞り、シャッタ、及び撮像素子などを主に有しており、絞り値、シャッタ速度、及びＩＳＯ感度などの撮影条件が変更可能となっている。また、カメラ６（６ａ及び６ｂ）は、カメラ６のフォーカスを調整するフォーカス機構７と、シャッタの開閉を調整するシャッタ機構８とを有している。
【００２５】
タッチパネルディスプレイ４は、筐体２の一方の面２ａに配置されており、ユーザから操作（指及びタッチペン（接触物）などによる操作）を受け付けると共に、後述するカメラ６から出力される画像を表示する部分である。第１実施形態の携帯端末１では、タッチパネルディスプレイ４は、後述するカメラ機能要求部２０からカメラ機能の開始を要求する信号が入力され、例えば、図４に示すような、撮影表示画面４２が表示される。
【００２６】
図４は、タッチパネルディスプレイに表示される撮影表示画面の一例を示す図である。撮影表示画面４２は、カメラ６から出力される画像を表示する部分である画像領域４３と、カメラ機能を操作するボタンなどが表示される操作領域４６とを有している。
【００２７】
画像領域４３には、カメラ６から出力される画像のうち、フォーカスを合わせたい被写体Ｓの位置を示すフォーカス枠４４などが表示されてもよい。操作領域４６には、カメラ６のシャッタ機構８を制御するためのシャッタボタン４７、並びにカメラ６における露出度及びＩＳＯ（International Organization for Standardization）感度などを設定する画面を起動する設定ボタン４８などが表示されてもよい。
【００２８】
カメラ機能要求部２０は、カメラを使用するアプリケーションが起動された際に、タッチ操作検出部３１及びクリック操作検出部３２を有する検出部３０、及びタッチパネルディスプレイ４に対して、カメラ機能の起動を要求する部分である。上記事象が発生すると、カメラ機能要求部２０は、カメラ機能を起動させるための信号をタッチ操作検出部３１及びクリック操作検出部３２を有する検出部３０、及びタッチパネルディスプレイ４に出力する。
【００２９】
検出部３０は、タッチパネルディスプレイ４の操作面４ａに対するタッチ操作と、タッチ操作による操作面４ａの接触位置と、タッチパネルディスプレイ４の操作面４ａに対するクリック操作とを検出する部分である。検出部３０は、タッチ操作検出部３１とクリック操作検出部３２とを有している。
【００３０】
タッチ操作検出部３１は、タッチパネルディスプレイ４の操作面４ａに対するタッチ操作を検出する部分である。この操作は、タッチパネルディスプレイ４の基本的な機能を利用して取得することができる。タッチ操作検出部３１は、タッチパネルディスプレイ４の操作面４ａに対する接触情報を、後述するフォーカス制御部４０に出力する。
【００３１】
クリック操作検出部３２は、タッチパネルディスプレイ４の操作面４ａに対するクリック操作を検出する部分である。この操作は、上述したクリック機構１０に含まれる接触センサ１２からの情報などを利用して取得することができる。クリック操作検出部３２は、タッチパネルディスプレイ４の操作面４ａに対するクリック操作を検出すると、その旨の情報を後述するシャッタ制御部５０に出力する。また、後述するフォーカス制御部４０から出力される、フォーカスの対象となる被写体及びフォーカスの状態を示す情報であるフォーカス情報を、シャッタ制御部５０に出力する。
【００３２】
フォーカス制御部４０は、検出部３０によりタッチ操作が検出されると、タッチパネルディスプレイ４に表示されている被写体にフォーカスを合わせるようにカメラ６のフォーカス機構７を制御する部分である。第１実施形態のフォーカス制御部４０では、検出部３０によりタッチ操作が検出されている間は、タッチパネルディスプレイ４に表示されている被写体にフォーカスを合わせるように、カメラ６のフォーカス機構７を制御する。なお、タッチパネルディスプレイ４の接触は、図４に示すシャッタボタン４７に限定されるわけではなく、タッチ操作が検出される操作面４ａ上であればよい。
【００３３】
また、フォーカス制御部４０は、タッチ操作検出部３１により操作面４ａからユーザの指が離れたことが検出すると、タッチパネルディスプレイ４に表示されている被写体Ｓにフォーカスが固定されるようにカメラ６のフォーカス機構７を制御する。なお、再度、検出部３０によりタッチ操作が検出されると、その際にタッチパネルディスプレイ４に表示されている被写体Ｓにフォーカスを合わせるように、カメラ６のフォーカス機構７を制御する。
【００３４】
シャッタ制御部５０は、検出部３０により検出されるタッチパネルディスプレイ４に対するクリックの状況に基づいて、カメラ６のシャッタ機構を制御する部分である。第１実施形態の携帯端末１におけるシャッタ制御部５０では、クリック操作検出部３２から出力される要求信号及びフォーカス情報を受けて、カメラ６のシャッタ機構を制御し、カメラ６での撮影（撮像）を行う。
【００３５】
機能制御部６０は、カメラ６のシャッタ機構８を制御して、カメラ６での撮影が終了した後に、継続して撮影を実行するか否かを制御する部分である。ユーザによって撮影が継続された場合、すなわち、カメラ６を使用するアプリケーションが終了されなかった場合には、機能制御部６０は、カメラ機能要求部２０に対し、再び撮影表示画面４２をタッチパネルディスプレイ４に表示するように要求する信号を出力する。ユーザによって撮影が終了された場合、すなわち、カメラ６を使用するアプリケーションが終了された場合には、カメラ機能要求部２０に対し、撮影表示画面４２をタッチパネルディスプレイ４から消すように要求する信号を出力する。
【００３６】
図５は、携帯端末のハードウェア構成を示す図である。携帯端末１は、図５に示すように、後述する携帯端末１におけるカメラの制御処理、オペレーティングシステム、アプリケーションプログラムなどを実行するＣＰＵ（central processing unit）６１、ＲＯＭ（read only memory）及びＲＡＭ（random access memory）で構成される主記憶部６２、ハードディスク及びメモリなどで構成される補助記憶部６３、メニューボタン及びタッチパネルディスプレイ４（図１参照）などの入力部６４、並びにタッチパネルディスプレイ４（図１参照）などの出力部６５で構成される。上述したカメラ機能要求部２０、検出部３０、フォーカス制御部４０、シャッタ制御部５０、及び機能制御部６０における各機能は、ＣＰＵ６１及び主記憶部６２に所定のソフトウェアを読み込ませ、ＣＰＵ６１の制御の下で、実行される。
【００３７】
以下、第１実施形態の特徴部分である、カメラの制御方法（撮像制御方法）を実施する際の流れについて、図６を用いて説明する。図６は、携帯端末におけるカメラの制御方法の流れを示したフローチャートである。
【００３８】
図６に示すように、携帯端末１では、ユーザによりカメラを使用するアプリケーションが起動されると、カメラ機能要求部２０は、タッチ操作検出部３１及びクリック操作検出部３２を有する検出部３０、及びタッチパネルディスプレイ４に対して、カメラ機能の開始を要求する。カメラ機能要求部２０は、ユーザからの入力に備え、カメラ機能を開始させるための信号をタッチ操作検出部３１及びクリック操作検出部３２を有する検出部３０、及びタッチパネルディスプレイ４に出力する。タッチパネルディスプレイ４には、撮影表示画面４２が表示される（Ｓ１）。
【００３９】
次に、タッチ操作検出部３１は、タッチパネルディスプレイ４の操作面４ａへの接触を検出し（Ｓ２：検出ステップ）、例えば、操作面４ａに指が触れられたことを検出すると（Ｓ２：ＹＥＳ）と、タッチパネルディスプレイ４の操作面４ａが接触されたという情報と接触位置の座標情報とをフォーカス制御部４０に出力する。タッチ操作検出部３１は、操作面４ａに指が触れられたことを検出できない場合（Ｓ２：ＮＯ）であっても、一定時間、操作面４ａに対する指の接触の有無を監視する。
【００４０】
次に、フォーカス制御部４０は、タッチパネルディスプレイ４の操作面４ａが接触されたという情報が、タッチ操作検出部３１から入力されると、タッチパネルディスプレイ４に現在表示されている被写体Ｓにフォーカスを合わせる制御を行う（Ｓ３：フォーカス制御ステップ）。なお、ここで、フォーカス制御部４０は、タッチ操作検出部３１から、タッチパネルディスプレイ４の操作面４ａへの接触がなくなった（ユーザの指が操作面４ａから離れた）という情報が入力されると、現在表示されている被写体にフォーカスを固定、すなわち、ステップＳ３において被写体にフォーカスが合わされた状態をそのまま維持する。また、再度、タッチ操作検出部３１によりタッチ操作が検出されると、タッチパネルディスプレイ４に表示されている被写体Ｓにフォーカスを合わせるように、カメラ６のフォーカス機構７を制御する。
【００４１】
次に、クリック操作検出部３２は、タッチパネルディスプレイ４の操作面４ａへの押圧を検出し（Ｓ４：検出ステップ）、例えば、操作面４ａがクリックされたことを検出すると（Ｓ４：ＹＥＳ）と、フォーカス制御部４０から出力されたフォーカス情報と、操作面がクリックされたことを示すクリック情報とを、シャッタ制御部５０に出力する。クリック操作検出部３２は、操作面４ａがクリックされたことを検出できない場合（Ｓ４：ＮＯ）であっても、一定時間、操作面４ａへのクリックの有無を監視する。
【００４２】
次に、シャッタ制御部５０は、フォーカス制御部４０から出力されたフォーカス情報と、クリック操作検出部３２からのクリック情報とが入力されると、カメラ６のシャッタ機構８を制御して、写真を撮影する（Ｓ５：シャッタ制御）。
【００４３】
次に、機能制御部６０は、カメラ６のシャッタ機構８を制御して撮影を実行すると、継続して撮影を実行するか否かを判定する（Ｓ６）。ここで、ユーザによって撮影が継続された場合、すなわち、カメラ６を使用するアプリケーションが終了されなかった場合（Ｓ６：ＹＥＳ）には、機能制御部６０は、カメラ機能要求部２０に対し、再び撮影表示画面４２をタッチパネルディスプレイ４に表示するように要求する信号を出力する。
【００４４】
一方、ステップＳ６において、ユーザによって撮影が終了された場合、すなわち、カメラ６を使用するアプリケーションが終了された場合（Ｓ６：ＮＯ）には、カメラ機能要求部２０に対し、撮影表示画面４２をタッチパネルディスプレイ４から消すように要求する信号を出力する（Ｓ７）。
【００４５】
以上に説明したように、第１実施形態の携帯端末１によれば、図２（ａ）に示すようなクリック機構１０を備えているので、ユーザは、タッチパネルディスプレイ４に対してタッチ操作だけでなく、クリック操作が実行できる。第１実施形態の携帯端末１では、タッチパネルディスプレイ４に対するタッチ操作ではなく、このクリック操作を検出することによって、カメラ６のシャッタ機構８を制御しているので、フォーカスを合わせるために触れている指などを操作面４ａから離してもシャッタ機構８は作動せず、写真が撮影されることはない。このため、被写体Ｓにフォーカスを合わせる処理を行った後でも、写真の撮影を中止することが容易に可能となる。この結果、携帯端末１の撮影時における操作をより扱いやすいものすることができる。
【００４６】
（第２実施形態）
次に、図７及び図８を主に参照しながら、第２実施形態に係る携帯端末（情報端末）１０１について説明する。図７は、第２実施形態に係る携帯端末の機能構成を示すブロック図、図８は、図７に示す携帯端末におけるカメラの制御方法の流れを示したフローチャートである。なお、第１実施形態に係る携帯端末１と同一の作用を有する部分には同一の符号を付して、重複する説明を省略する。
【００４７】
第２実施形態の携帯端末１０１は、機能詳細設定部４５を備えている点で、第１実施形態の携帯端末１とは異なる。さらに、クリック操作検出部１３２、フォーカス制御部１４０、及びシャッタ制御部１５０における機能が、第１実施形態のクリック操作検出部３２、フォーカス制御部４０、及びシャッタ制御部５０と異なる。ここでは、上述した異なる点についてのみ説明し、それ以外の機能については、説明を省略する。
【００４８】
クリック操作検出部１３２は、タッチパネルディスプレイ４の操作面４ａをクリックする操作を検出する部分である。この操作は、上述したクリック機構１０に含まれる接触センサ１２などの情報を利用して取得することができる。第２実施形態のクリック操作検出部１３２は、タッチパネルディスプレイ４の操作面４ａに対するシングルクリックとダブルクリックとを区別して取得する。クリック操作検出部１３２は、タッチパネルディスプレイ４の操作面４ａに対するシングルクリックを検出すると、その旨の情報を後述するフォーカス制御部１４０に出力する。また、クリック操作検出部１３２は、タッチパネルディスプレイ４の操作面４ａに対するダブルクリックを検出すると、その旨の情報を後述するシャッタ制御部１５０に出力する。この際、後述するフォーカス制御部１４０から出力される、フォーカスの対象となる被写体Ｓ及びフォーカスの状態を示す情報であるフォーカス情報も、シャッタ制御部１５０に出力する。
【００４９】
フォーカス制御部１４０は、検出部１３０によりタッチ操作が検出された場合には、タッチパネルディスプレイ４に表示されている被写体Ｓにフォーカスを合わせるようにカメラ６のフォーカス機構７を制御する部分である。第２実施形態のフォーカス制御部１４０では、検出部１３０によりタッチ操作が検出されると、タッチパネルディスプレイ４に現在表示されている被写体Ｓにフォーカスを合わせるように、カメラ６のフォーカス機構７を制御する。また、フォーカス制御部４０は、タッチ操作検出部３１により操作面４ａからユーザの指が離れたことが検出すると、前段階で特定の被写体に合わされたフォーカスを解除するようにカメラ６のフォーカス機構７を制御する。なお、再度、検出部１３０によりタッチ操作が検出されると、タッチパネルディスプレイ４に表示されている被写体Ｓにフォーカスを合わせるように、カメラ６のフォーカス機構７を制御する。
【００５０】
更に、第２実施形態のフォーカス制御部１４０では、クリック操作検出部１３２から入力されると、タッチパネルディスプレイ４に現在表示されている被写体Ｓにフォーカスを合わせ、フォーカスを固定する。
【００５１】
機能詳細設定部１４５は、被写体Ｓに対して、フォーカス制御以外の、例えば、露出度、及びＩＳＯ感度などの詳細設定がある場合に、その設定を実行する部分である。第２実施形態の機能詳細設定部１４５は、フォーカス制御部１４０によってフォーカスが固定されている状態で、ユーザにより別途被写体Ｓに対する詳細設定があった場合に、その設定を実行するように、カメラ６を制御することができる。
【００５２】
シャッタ制御部１５０は、検出部１３０により検出されるタッチパネルディスプレイ４に対するクリックの状況に基づいて、カメラ６のシャッタ機構８を制御する部分である。第２実施形態の携帯端末１０１におけるシャッタ制御部１５０では、クリック操作検出部１３２がダブルクリックを検出したことを受けて出力した要求信号及びフォーカス情報を受けて、カメラ６のシャッタ機構８を制御し、カメラ６での撮影（撮像）を行う。
【００５３】
以下、第２実施形態のカメラの制御方法（撮像制御方法）を実施する際の流れについて、第１実施形態と異なる部分について、図８を用いて説明する。図８は、第２実施形態の携帯端末におけるカメラの制御方法の流れを示したフローチャートである。
【００５４】
ステップＳ３（フォーカス制御ステップ）では、フォーカス制御部１４０では、検出部１３０によりタッチ操作が検出されると、タッチパネルディスプレイ４に現在表示されている被写体Ｓにフォーカスを合わせるように、カメラ６のフォーカス機構７を制御する。第２実施形態のフォーカス制御部４０では、タッチ操作検出部３１により操作面４ａからユーザの指が離れたことが検出すると、前段階で特定の被写体Ｓに合わされたフォーカスを解除するようにカメラ６のフォーカス機構７を制御する。なお、再度、検出部１３０によりタッチ操作が検出されると、タッチパネルディスプレイ４に表示されている被写体Ｓにフォーカスを合わせるように、カメラ６のフォーカス機構７を制御する。
【００５５】
ステップＳ４では、第２実施形態のクリック操作検出部１３２は、タッチパネルディスプレイ４の操作面４ａに対するシングルクリックとダブルクリックとを区別して取得する。クリック操作検出部１３２は、タッチパネルディスプレイ４の操作面４ａに対するシングルクリックを検出すると（Ｓ４：シングルクリック）、その旨の情報を後述するフォーカス制御部１４０に出力する。
【００５６】
次に、フォーカス制御部１４０は、クリック操作検出部１３２からタッチパネルディスプレイ４の操作面４ａに対するシングルクリックを検出した旨の情報が入力されると、タッチパネルディスプレイ４に現在表示されている被写体Ｓにフォーカスを合わせ、フォーカスを固定する（Ｓ４１）。
【００５７】
次に、機能詳細設定部１４５は、フォーカス制御部１４０によってフォーカスが固定されている状態で、ユーザにより別途被写体に対する、露出度及びＩＳＯ感度などの詳細設定があった場合に、その設定を実行するように、カメラ６を制御する（Ｓ４２）。
【００５８】
一方、クリック操作検出部１３２は、タッチパネルディスプレイ４の操作面４ａに対するダブルクリックを検出すると、その旨の情報を後述するシャッタ制御部１５０に出力する（Ｓ４：ダブルクリック）。この際、フォーカス制御部１４０から出力される、フォーカスの対象となる被写体Ｓ及びフォーカスの状態を示す情報であるフォーカス情報も、シャッタ制御部１５０に出力する。シャッタ制御部１５０では、クリック操作検出部１３２がダブルクリックを検出したことを受けて出力した要求信号及びフォーカス情報を受けて、カメラ６のシャッタ機構８を制御し、カメラ６での撮影（撮像）を行う（Ｓ５：シャッタ制御ステップ）。
【００５９】
以下、ステップＳ６以降の流れについては、第１実施形態の携帯端末１と同様であるので、説明を省略する。
【００６０】
以上に説明したように、第２実施形態の携帯端末１０１によれば、上記第１実施形態の携帯端末１と同様に、タッチパネルディスプレイ４の操作面４ａに対するクリック操作によってカメラ６のシャッタ機構８を制御するので、フォーカスを合わせるために触れている指などを離してもシャッタ機構８は作動せず、写真が撮影されることはない。このため、被写体Ｓにフォーカスを合わせる処理を行った後でも、写真の撮影を中止することが容易に可能となる。この結果、撮影時における操作をより扱いやすいものすることができる。
【００６１】
また、第２実施形態の携帯端末１０１によれば、シングルクリックを検出することにより、現在のフォーカスの状態を固定することができる。すなわち、被写体Ｓにフォーカスを合わせる処理を行った後でも、露出度及びＩＳＯ感度などの詳細設定をすることが可能となる。
【００６２】
以上、第１及び第２実施形態について詳細に説明した。しかし、本発明は上記実施形態に限定されるものではない。本発明は、その要旨を逸脱しない範囲で以下のような様々な変形が可能である。
【００６３】
上記実施形態の携帯端末１（１０１）では、フォーカス制御部４０は、検出部３０（１３０）により、タッチパネルディスプレイ４の操作面４ａの任意の位置（例えば、撮影表示画面４２におけるシャッタボタン４７）がタッチ（接触）されたことを検知すると、又は、タッチが検出されている間は、タッチパネルディスプレイ４に表示されている被写体にフォーカスを固定するようにカメラ６のフォーカス機構７を制御する例を挙げて説明したが、本発明はこれに限定されるものではない。
【００６４】
例えば、フォーカス制御部４０（１４０）では、タッチパネルディスプレイ４に表示されている画像（又は映像）のうち、タッチ操作検出部３１（１３１）により検出されたタッチパネルディスプレイ４の操作面４ａの接触位置に表示されている画像に基づいて、カメラ６のフォーカス機構を制御することができる。すなわち、携帯端末１（１０１）におけるフォーカス制御部４０（１４０）では、ユーザによりタッチパネルディスプレイ４の操作面４ａに接触があった場合に、ユーザにより接触された操作面４ａの位置に現在表示されている被写体Ｓにフォーカスを合わせる制御を行ってもよい。この構成の携帯端末１（１０１）によれば、タッチパネルディスプレイ４に表示される画像のうち、ユーザがフォーカスを合わせたい被写体Ｓに該当する画像部分をタッチし続けることで、当該被写体Ｓに対してフォーカスを合わせ続けることができる。このため、当該被写体Ｓに対してフォーカスが合った状態で、例えば、クリック（ダブルクリック）をした瞬間にカメラ６のシャッタ機構８を作動させることができるので、シャッターチャンスを逃しにくくなる。
【００６５】
また、上記実施形態では、操作面４ａから指が離れたこと及び所定の押下操作が検出されたことの両方を検出できるようにして、指を操作面４ａから離す操作及び所定のクリック操作の一方がユーザになされた場合に、フォーカスの固定が実行されるようにしてもよい。
【００６６】
また、上記実施形態では携帯端末の例を用いて説明したが本発明はこれに限定されるものではなく、据え置き型の端末、ＰＤＡ等に適用することも可能である。
【符号の説明】
【００６７】
１，１０１…携帯端末（情報端末）、２…筐体、４…タッチパネルディスプレイ、４ａ…操作面、６…カメラ（撮像装置）、６ａ…前面側カメラ、６ａ…背面側カメラ、７…フォーカス機構、８…シャッタ機構、１０…クリック機構（押下検出機構）、１１…支持部材、１２…接触センサ、１３…基盤、２０…カメラ機能要求部、３０，１３０…検出部（検出手段）、３１，１３１…タッチ操作検出部、３２，１３２…クリック操作検出部、４０，１４０…フォーカス制御部（フォーカス制御手段）、４２…撮影表示画面、４３…画像領域、４４…フォーカス枠、４５…機能詳細設定部、４６…操作領域、４７…シャッタボタン、４８…設定ボタン、５０，１５０…シャッタ制御部（シャッタ制御手段）、６０…機能制御部、６１…ＣＰＵ、６２…主記憶部、６３…補助記憶部、６４…入力部、６５…出力部。
【図１】
2013137457.tif 000003
【図２】
2013137457.tif 000004
【図３】
2013137457.tif 000005
【図４】
2013137457.tif 000006
【図５】
2013137457.tif 000007
【図６】
2013137457.tif 000008
【図７】
2013137457.tif 000009
【図８】
2013137457.tif 000010
【国際調査報告】
2013137457.tif 000011
2013137457.tif 000012
2013137457.tif 000013
2013137457.tif 000014